(57)【特許請求の範囲】
【請求項１】
ルアー本体と、
上記ルアー本体に回転可能に設けたプロペラ型のスピナーとを備え、
上記プロペラ型のスピナーの複数の羽根のうち、いずれか一の羽根といずれか他の羽根とを非対称にしたことを特徴とする釣用ルアー。
【請求項２】
上記プロペラ型のスピナーのいずれか一の羽根の形状、大きさ、角度、厚み、材質の少なくとも一つを、いずれか他の羽根のものと異ならせたことを特徴とする請求項１に記載の釣用ルアー。
【請求項３】
上記ルアー本体の先端に斜め下方に突出させたリップを設け、後端に上記プロペラ型のスピナーを設けたことを特徴とする請求項１又は２に記載の釣用ルアー。
【発明の詳細な説明】
【０００１】
【発明の属する技術分野】
本発明は、釣用ルアーに係り、プロペラ型のスピナーを設けたものに用いて好適なものである。
【０００２】
【従来の技術】
ルアーフィッシングとは、水中や水面で釣用ルアーを動かし、小魚が泳いでいるかのようにして魚を誘うものである。かかるルアーフィッシングにおいては、釣用ルアーのルアーアクションが重要な要素となる。
【０００３】
【発明が解決しようとする課題】
釣用ルアーをいかに動かすかは、ユーザの技量による部分もあるが、釣用ルアー自体の運動特性が非常に重要となる。これまでも、いろいろな運動特性が得られるよう多種類の釣用ルアーが提供されているが、定形的なルアーアクションしか得られないものも少なくない。
【０００４】
本発明は、より複雑でイレギュラーなルアーアクションを得ることのできる釣用ルアーを提供することを目的とする。
【０００５】
【課題を解決するための手段】
本発明の釣用ルアーは、ルアー本体と、上記ルアー本体に回転可能に設けたプロペラ型のスピナーとを備え、上記プロペラ型のスピナーの複数の羽根のうち、いずれか一の羽根といずれか他の羽根とを非対称にした点に特徴を有する。
【０００６】
また、本発明の釣用ルアーの他の特徴とするところは、上記プロペラ型のスピナーのいずれか一の羽根の形状、大きさ、角度、厚み、材質の少なくとも一つを、いずれか他の羽根のものと異ならせた点にある。
【０００７】
また、本発明の釣用ルアーの他の特徴とするところは、上記ルアー本体の先端に斜め下方に突出させたリップを設け、後端に上記プロペラ型のスピナーを設けた点にある。
【０００８】
上記のようにした釣用ルアーでは、水中や水面で釣用ルアーを動かすとプロペラ型のスピナーが回転するが、一の羽根の形状、大きさ、角度、厚み、材質等を他の羽根のものと異ならせているので、イレギュラーな回転運動をすることになる。
【０００９】
【発明の実施の形態】
以下、図に基づき、本発明の釣用ルアーの実施の形態について説明する。
図１に示すのは、釣用ルアーのうちプラグと称される種類のもので、ルアー本体１が小魚に似せて形成されている。
【００１０】
ルアー本体１の先端（顔部）には、斜め下方に突出させたリップ２を設けている。リップ２は水の抵抗を受けるもので、その大きさ等に応じて潜行能力を発揮する。
【００１１】
ルアー本体１の先端（顔部）には、釣糸を掛け止めるためのリング部材３を取り付けている。また、ルアー本体１の下方（下腹部）及び後端（尾部）のそれぞれには、釣針４を装着するためのリング部材５、６を取り付けている。
【００１２】
ルアー本体１の後端の釣針装着用のリング部材６は、図２に示すように、棒材７の一端側を曲げてリング状にしたものである。そして、このリング部材６の他端側の棒部分７ａをルアー本体１の後端面に挿入して固定するが、棒部分７ａの全てを挿入するのではなく、その一部をルアー本体１側から突出させた状態にする。
【００１３】
ここで、上記のようにリング部材６を設ける際に、突出させたリング部材６の棒部分７ａを軸として回転可能にプロペラ型のスピナー８を設ける。プロペラ型のスピナー８は、後からも説明するが、軸孔を形成した円板部８ａと、この円板部８ａの径方向に突出させた２枚の羽根８ｂ、８ｃとからなり、これら２枚の羽根８ｂ、８ｃを非対称にしている。そして、円板部８ａの軸孔に上記リング部材６の棒部分７ａを挿通させることで、当該プロペラ型のスピナー８を回転可能に支持する構成にしている。
【００１４】
また、上記プロペラ型のスピナー８の両隣には軸受け部材９を設けている。軸受け部材９は、図３に示すように、孔９ｂを形成した円板材９ａをプレス加工等により曲面状に形成したものである。そして、図２に示すように、軸受け部材９それぞれの曲面をプロペラ型のスピナー８側に向けて円板部８ａを挟み込み、各軸受け部材９の孔９ｂ及び上述したようにプロペラ型のスピナー８の軸孔に、上記リング部材６の棒部分７ａを挿通させる。このようにした軸受け部材９を用いることにより、プロペラ型のスピナー８が軸方向にずれ動くのを規制し、その回転が妨げられるのを防止することができる。
【００１５】
次に、図４〜図８を用いて、上記プロペラ型のスピナー８について説明する。
図４〜図８の各図(ａ)は全て同じ図であり、これら各図（ａ）に示すように、プロペラ型のスピナー８は、軸孔８ｄを形成した円板部８ａと、この円板部８ａの径方向に突出させた２枚の羽根８ｂ、８ｃとを一体に形成したものである。なお、当該プロペラ型のスピナー８の材質としては、ステンレス、真鍮、チタン、鉄等の金属や、プラスチック、カーボン等の非金属、さらにはそれらを複合したものが用いられる。
【００１６】
羽根８ｂは、円板部８ａ側から広がる方向に延びる一対の直線ライン１０と、これら直線ライン１０を結ぶ円弧ライン１１とを有する左右対称な形状となっている。
【００１７】
一方、羽根８ｃは、全体を滑らかにカーブさせた曲線ライン１２と、一箇所で極端にカーブさせた曲線ライン１３とを有する左右非対称な形状となっている。
【００１８】
そして、羽根８ｃの大きさ（面積）を、羽根８ｂの大きさ（面積）よりも大きくしている。
【００１９】
なお、図４〜図８の各図(ａ)に示すのは、加工前の平板状となっているプロペラ型のスピナー８であり、この平板状のものにこれから説明する加工を行うことで、最終的なプロペラ型のスピナー８を完成させる。以下では、図４〜図８の各図（ａ）に示す側の面を、表面と称することにする。
【００２０】
図４について説明する。図４(ｂ)に示すように、羽根８ｃの先端側の一部を曲げ加工し、この羽根８ｃの先端側の一部を表面側に向かって所定角度だけ滑らかに立ち上げるようにしている。
【００２１】
次に、図５について説明する。図５(ｃ)に示すように、羽根８ｃを捩じるように曲げ加工し、この羽根８ｃが円板部８ａの面に対して所定角度だけ傾くようにしている。ここでは、矢印に示すように、羽根８ｃ側から見て時計回り方向に、当該羽根８ｃを捩じるようにしている。
【００２２】
次に、図６について説明する。図６(ｃ)に示すように、羽根８ｂを捩じるように曲げ加工し、この羽根８ｂが円板部８ａの面に対して所定角度だけ傾くようにしている。このときに、羽根８ｂの捩じれ角度を、図５で説明した羽根８ｃの捩じれ角度よりも大きくしている。ここでも、矢印に示すように、羽根８ｂ側から見て時計回り方向に、当該羽根８ｂを捩じるようにしている。したがって、羽根８ｂ、８ｃの捩じれ方向は、円板部８ａを挟んで逆方向になる。
【００２３】
次に、図７について説明する。図７(ｂ)は、円板部８ａだけを取り出したイメージ図である。そして、図７(ｃ)に示すように、円板部８ａをプレス加工等により表面側に向かって盛り上げたような形状にする。
【００２４】
次に、図８について説明する。図８(ｃ)に示すように、羽根８ｃの根元（円板部８ａ側）を曲げ加工し、この羽根８ｃの全体が裏面側に向かって所定角度だけ傾斜するようにしている。同様に、羽根８ｂの根元（円板部８ａ側）を曲げ加工し、この羽根８ｂの全体が裏面側に向かって所定角度だけ傾斜するようにしている。このとき、羽根８ｂの傾斜角度を、上記羽根８ｃの傾斜角度よりも大きくしている。
【００２５】
以上述べた加工を複合させて、プロペラ型のスピナー８を完成させている。そして、図２にも示すように、このプロペラ型のスピナー８の表面をルアー本体１側に向けるようにして装着する。
【００２６】
本実施の形態によれば、釣用ルアーは、リップ２に作用する水の抵抗により潜ったり、浮いたりする動きをするとともに、プロペラ型のスピナー８が水の抵抗を受けて回転することにより派手な動きをする。例えば、この釣用ルアーを水面近くで動かした場合、水面近くを逃走する小魚を模すことができる。
【００２７】
特に、プロペラ型のスピナー８の羽根８ｂ、８ｃを非対称にしているので、非常に複雑でイレギュラーなルアーアクションを演出することが可能となる。例えば、羽根が小さければ回転は静かであるのに対して、羽根が大きければ回転動作も激しくなる。したがって、プロペラ型のスピナー８で羽根８ｂ、８ｃの大きさを異ならせることで、不規則な回転動作が得られ、それが釣用ルアーにイレギュラーな動きを与えることとなる。
【００２８】
さらに、羽根８ｂ、８ｃを非対称にしたプロペラ型のスピナー８が水中で回転することにより、イレギュラーな独自の振動や音、泡を発生させて、相乗的な集魚効果を発揮する。
【００２９】
なお、上記実施の形態はほんの一例に過ぎず、上記実施の形態ではプロペラ型のスピナー８の羽根８ｂ、８ｃの形状、大きさ、捩じれ角度や傾斜角度等の各種角度を異ならせているが、それらすべてを異ならせる必要であるというわけではない。
【００３０】
また、例えば、羽根８ｂ、８ｃの形状、大きさ、各種角度等を同じにして、厚みを異ならせたり、材質を異ならせたりしてもよい。この場合でも、羽根８ｂ、８ｃの重量が非対称となり、非常に複雑でイレギュラーな回転運動をすることになる。すなわち、本発明でいう非対称とは、必ずしも形状や大きさ等の目に見える部分が非対称という意味ではなく、他の要素（上記のように厚みや材質等）を異ならせるという意味も含まれる。
【００３１】
もちろん、羽根を非対称とする上で、きるだけ回転が妨げられないように条件を定める必要もあり、実験等を通じて形状、大きさ、角度、厚み、材質等を最適なものに定めることが重要である。
【００３２】
【発明の効果】
以上説明したように本発明によれば、釣用ルアーを動かすと、プロペラ型のスピナーが回転することにより派手な動きをするが、特に、羽根を非対称としているので、非常に複雑でイレギュラーなルアーアクションを演出することが可能となる。さらに、プロペラ型のスピナーが水中で回転することにより、イレギュラーな独自の振動や音、泡を発生させて、相乗的な集魚効果を発揮する。
【図面の簡単な説明】
【図１】本発明の実施の形態の釣用ルアーを示す図である。
【図２】実施の形態の釣用ルアーの尾部側を示す図である。
【図３】軸受け部材９を示す斜視図である。
【図４】プロペラ型のスピナー８を説明するための図で、(ａ)が加工前の平板状のものを示す平面図、（ｂ）が羽根８ｃに施す加工を説明するための図である。
【図５】プロペラ型のスピナー８を説明するための図で、(ａ)が加工前の平板状のものを示す平面図、（ｂ）が加工前の状態を示す図、（ｃ）が羽根８ｃに施す加工を説明するための図である。
【図６】プロペラ型のスピナー８を説明するための図で、(ａ)が加工前の平板状のものを示す平面図、（ｂ）が加工前の状態を示す図、（ｃ）が羽根８ｂに施す加工を説明するための図である。
【図７】プロペラ型のスピナー８を説明するための図で、(ａ)が加工前の平板状のものを示す平面図、（ｂ）が円板部８ａだけを取り出したイメージ図、（ｃ）が円板部８に施す加工を説明するための図である。
【図８】プロペラ型のスピナー８を説明するための図で、(ａ)が加工前の平板状のものを示す平面図、（ｂ）が加工前の状態を示す図、（ｃ）が羽根８ｂ、８ｃに施す加工を説明するための図である。
【符号の説明】
１          ルアー本体
２          リップ
３          リング
４          釣針
５、６      リング
７          棒材
７ａ        棒部分
８          プロペラ型のスピナー
８ａ        円板部
８ｂ、８ｃ  羽根
８ｄ        軸孔
９          軸受け部材
９ａ        円板材
９ｂ        孔
１０        直線ライン
１１        円弧ライン
１２、１３  曲線ライン
【図１】
0004201946.tif 000002
【図２】
0004201946.tif 000003
【図３】
0004201946.tif 000004
【図４】
0004201946.tif 000005
【図５】
0004201946.tif 000006
【図６】
0004201946.tif 000007
【図７】
0004201946.tif 000008
【図８】
0004201946.tif 000009